(57)【要約】  本発明は、基板を支持するための支持部;前記支持部の上側に配置された第1電極部；前記第1電極部の上側に配置された第2電極部；前記第1電極部を貫通するように形成された生成孔;および前記生成孔に対応する位置で前記第2電極部から下方に突出するように前記第2電極部に結合した突出電極を含み、前記突出電極が上下方向を基準に前記第1電極部に比べて、より短い長さに形成された基板処理装置に関するものである。
2021512477.tif 000002
【特許請求の範囲】
【請求項１】
基板を支持するための支持部;
前記支持部の上側に配置された第1電極部；
前記第1電極部の上側に配置された第2電極部；
前記第1電極部を貫通するように形成された生成孔;および
前記生成孔に対応する位置で前記第2電極部から下方に突出するように前記第2電極部に結合した突出電極を含み、
前記突出電極が、上下方向を基準に前記第1電極部に比べてより短い長さに形成されたことを特徴とする基板処理装置。
【請求項２】
前記突出電極が、前記上下方向を基準に前記第1電極部および前記第2電極部が離隔した間隔と同じか、それより長い長さで突出したことを特徴とする請求項１に記載の基板処理装置。
【請求項３】
前記第1電極部が、前記上下方向を基準としてL（Lは0よりも大きい実数）の長さで形成され、
前記上下方向を基準に、前記突出電極の全体の長さから前記第1電極部と前記第2電極部が離隔した間隔を減算した長さは、0.7L以下であることを特徴とする請求項２に記載の基板処理装置。
【請求項４】
前記第1電極部が、前記上下方向を基準としてL（Lは0よりも大きい実数）の長さで形成され、
前記上下方向を基準に、前記突出電極の全体の長さから前記第1電極部と前記第2電極部が離隔した間隔を減算した長さは、0.5Lであることを特徴とする請求項１に記載の基板処理装置。
【請求項５】
前記突出電極が、前記支持部を向くように最下端に配置された対向面を含み、
前記対向面は、前記上下方向を基準に前記第1電極部の上面と同じ高さに配置されたことを特徴とする請求項１に記載の基板処理装置。
【請求項６】
前記突出電極が、前記支持部を向くように最下端に配置された対向面を含み、
前記対向面は、前記第1電極部の内側に配置されるように前記生成孔に挿入されたことを特徴とする請求項１に記載の基板処理装置。
【請求項７】
前記第1電極部が、前記上下方向を基準としてL（Lは0よりも大きい実数）の長さで形成され、
前記対向面は、前記上下方向を基準に前記第1電極部の上面から0.7Lの距離で離隔した位置に配置されたことを特徴とする請求項６に記載の基板処理装置。
【請求項８】
前記第1電極部が、前記上下方向を基準としてL（Lは0よりも大きい実数）の長さで形成され、
前記対向面は、前記上下方向を基準に前記第1電極部の上面から0.5Lの距離で離隔した位置に配置されたことを特徴とする請求項６に記載の基板処理装置。
【請求項９】
前記第1電極部が、前記上下方向を基準としてL（Lは0よりも大きい実数）の長さで形成され、
前記対向面は、前記上下方向を基準に前記第1電極部の上面から0.7Lよりも小さい距離で離隔した位置に配置されたことを特徴とする請求項６に記載の基板処理装置。
【請求項１０】
前記突出電極が、前記生成孔にプロセスガスを噴射するための噴射孔を含むことを特徴とする請求項１に記載の基板処理装置。
【請求項１１】
前記突出電極が、前記上下方向に対して垂直な水平方向を基準に、前記生成孔に比べて、より小さな直径で形成されたことを特徴とする請求項１に記載の基板処理装置。
【請求項１２】
前記第1電極部が、電源を供給するプラズマ電源に接続し、
前記第2電極部及び前記突出電極は、接地（Ground）したことを特徴とする請求項１に記載の基板処理装置。
【発明の詳細な説明】
【技術分野】
【０００１】
本発明は、基板に対する蒸着工程、エッチング工程などの処理工程を行なう基板処理装置に関するものである。
【背景技術】
【０００２】
一般的に、太陽電池（Solar Cell）、半導体素子、フラットパネルディスプレイ等を製造するためには、基板上に所定の薄膜層、薄膜回路パターン、または光学的パターンを形成しなければならない。そのため、基板上に特定物質の薄膜を蒸着する蒸着工程、感光性物質を用いて薄膜を選択的に露出させるフォト工程、選択的に露出させた部分の薄膜を除去してパターンを形成するエッチング工程などの基板処理工程が行われる。このような基板処理工程は、基板処理装置によって行われる。
【０００３】
図1は、従来技術による基板処理装置の概念的な側面図である。
【０００４】
図1を参照すると、従来技術による基板処理装置１０は、基板（S）を支持する支持部１１および、前記支持部１１の上側に配置された電極部材１２を含む。前記支持部１１は、接地（Ground）するように連結される。前記電極部材１２は、プラズマ電源（不図示）に接続する。前記電極部材１２に電源が印加されると、前記電極部材１２および、前記支持部１１の間にプラズマ（P）が生成される。
【０００５】
これにより、従来技術による基板処理装置１０は、前記支持部１１に支持された基板（S）と前記電極部材１２の間にプラズマ（P）が生成されるので、プラズマ（P）によって基板（S）が損傷する危険性が高いという問題がある。
【発明の開示】
【発明が解決しようとする課題】
【０００６】
本発明は、上述のような問題点を解決するために案出されたもので、プラズマによって基板が破損する危険性を減らすことができる基板処理装置を提供することである。
【課題を解決するための手段】
【０００７】
上述したような課題を解決するために、本発明は、下記のような構成を含むことができる。
【０００８】
本発明に係る基板処理装置は、基板を支持するための支持部;前記支持部の上側に配置された第1電極部；前記第1電極部の上側に配置された第2電極部；前記第1電極部を貫通するように形成された生成孔;前記生成孔に対応する位置で前記第2電極部から下方に突出するように前記第2電極部に結合された突出電極を含むことができる。前記突出電極は、上下方向を基準に前記第1電極部に比べてより短い長さに形成することができる。
【発明の効果】
【０００９】
本発明によると、次のような効果を図ることができる。
【００１０】
本発明は、基板とプラズマが互いに離隔する距離を伸ばすことができるよう具現することで、プラズマによって基板が破損する危険性を下げることができるだけでなく、処理工程が完了した基板の品質と歩留まりを向上させることができる。
【図面の簡単な説明】
【００１１】
【図１】従来技術による基板処理装置の概念的な側面図
【図２】本発明に係る基板処理装置の概略的な側断面図
【図３】図２のA部分を拡大して示した側断面図
【図４】本発明に係る基板処理装置の第1比較例の概略的な側断面図
【図５】図２のA部分を基準にして、本発明に係る基板処理装置の実施例を拡大して示した側断面図
【図６】図２のA部分を基準にして、本発明に係る基板処理装置の変形された実施例を拡大して示した側断面図
【図７】本発明に係る基板処理装置の第2比較例の概略的な側断面図
【図８】本発明に係る基板処理装置において、第1電極部、第2電極部、および突出電極を、図２のI-I線を基準に示した概略的な断面図
【図９】本発明に係る基板処理装置において、突出電極が噴射孔を含む実施例を図２のI-I線を基準に示した概略的な断面図
【発明を実施するための最良の形態】
【００１２】
以下では、本発明に係る基板処理装置の実施例を添付した図を参照して詳細に説明する。
【００１３】
図2及び図3を参照すると、本発明に係る基板処理装置１は、基板（S）に対する処理工程を行なうものである。例えば、本発明に係る基板処理装置１は、前記基板（S）に薄膜を蒸着する蒸着工程および、前記基板（S）に蒸着された薄膜の一部を除去するエッチング工程の中で少なくとも一つを行なうことができる。本発明に係る基板処理装置１は、支持部２、第1電極部３、生成孔４、第2電極部５、および突出電極６を含む。
【００１４】
図2を参照すると、前記支持部２は、基板（S）を支持するものである。前記支持部２は、前記第1電極部３の下側に配置することができる。この場合、前記基板（S）は、前記支持部２の上面に配置することができる。これにより、前記基板（S）は、上下方向（Z軸方向）を基準に、前記支持部２及び前記第1電極部３の間に配置されるように前記支持部２に支持することができる。前記基板（S）は、半導体基板、ウエハ（Wafer）などであり得る。前記支持部２は、複数の基板（S）を支持することもできる。前記支持部２は、前記の処理工程が行われる処理空間を提供するチャンバ１００に結合することができる。前記支持部２は、前記チャンバ１００の内部に配置することができる。前記支持部２は、前記チャンバ１００に回転可能に結合することもできる。この場合、前記支持部２は、回転力を提供する回転部に連結することができる。前記回転部は、前記支持部２を回転させることにより、前記支持部２に支持された基板（S）を回転させることができる。
【００１５】
図2及び図3を参照すると、前記第1電極部３は、プラズマ生成のためのものである。前記第1電極部３は、前記支持部２の上側に配置することができる。前記第1電極部３は、前記支持部２から上方（UD矢印の方向）に所定距離離隔するように配置することができる。前記第1電極部３は、前記チャンバ１００の内部に配置されるように前記チャンバ１００に結合することができる。前記第1電極部３は、全体的に四角形板状に形成することができるが、これに限定されず、プラズマを生成することができる形態であれば円盤型など他の形態で形成することもできる。
【００１６】
図2及び図3を参照すると、前記生成孔４は、前記第1電極部３を貫通するように形成されたものである。前記生成孔４は、前記第1電極部３の上面３１と、前記第1電極部３の下面を貫通するように形成することができる。前記生成孔４は、全体的に円筒形に形成することができるが、これに限定されず、他の形態で形成することもできる。前記第1電極部３には、前記生成孔４を複数個形成することもできる。この場合、前記生成孔４は、互いに離隔した位置に配置することができる。
【００１７】
図2及び図3を参照すると、前記第2電極部５は、プラズマ生成のためのものである。前記第2電極部５は、前記第1電極部３の上側に配置することができる。前記第2電極部５は、前記第1電極部３から上方（UD矢印の方向）に所定距離離隔するように配置することができる。前記第2電極部５は、前記チャンバ１００の内部に配置されるように前記チャンバ１００に結合することができる。前記第2電極部５は、全体的に四角形板状に形成することができるが、これに限定されず、プラズマを生成することができる形態であれば円盤型など他の形態で形成することもできる。前記第2電極部５が前記第1電極部３の上側に配置された場合、前記第1電極部３は、上面３１が前記第2電極部５を向くと共に、下面３２が前記支持部２を向くように配置することができる。この場合、前記第2電極部５は、下面５１が前記第1電極部３の上面３１を向くように配置することができる。前記第2電極部５の下面５１及び前記第1電極部３の上面３１は、前記上下方向（Z軸方向）を基準に、互いに所定の距離に離隔するように配置することができる。前記第2電極部５の下面５１及び前記第1電極部３の上面３１には、絶縁のための絶縁部材（不図示）を配置することもできる。
【００１８】
図3を参照すると、前記突出電極６は、プラズマ生成のためのものである。前記突出電極６は、前記第2電極部５に結合することができる。前記突出電極６は、前記第2電極部５から下方（DD矢印の方向）に突出することができる。この場合、前記突出電極６は、前記第2電極部５の下面５１の中で、前記生成孔４の上側に位置する部分から突出することができる。すなわち、前記突出電極６は、前記生成孔４に対応する位置に配置することができる。
【００１９】
前記突出電極６は、前記第2電極部５を介して接地（Ground）することができる。この場合、前記第1電極部３は、電源を供給するプラズマ電源（不図示）に接続することができる。前記プラズマ電源から前記第1電極部３に電源が印加されることにより、前記突出電極６と、前記第1電極部３の間にかかる電界によってプラズマが生成され得る。前記突出電極６は、前記第2電極部５に電気的に接続するように前記第2電極部５に結合することができる。前記突出電極６および前記第2電極部５は、一体に形成することもできる。図に示していないが、前記突出電極６および前記第2電極部５が前記プラズマ電源に接続し、前記第1電極部３を接地することもできる。
【００２０】
前記突出電極６は、前記上下方向（Z軸方向）を基準として、前記第1電極部３に比べて、より短い長さ６aに形成することができる。前記上下方向（Z軸方向）を基準として、前記第1電極部３の長さ３aは、前記第1電極部３において、前記生成孔４が形成された部分の長さを意味する。この場合、前記上下方向（Z軸方向）を基準に、前記突出電極６の長さ６aは、第1電極部３の長さ３aに比べてさらに短い。これにより、本発明に係る基板処理装置１は、前記生成孔４の下端４１および前記突出電極６との間に空いているプラズマ生成空間（PS）が確保されるので、前記生成孔４を介して前記第1電極部３の内側でプラズマが生成されるよう具現することができる。これを具体的に見ると、次の通りである。
【００２１】
まず、図4に示すように、前記上下方向（Z軸方向）を基準に、前記突出電極６の長さ６aが前記第1電極部３の長さ３aに比べて、より長く具現された第1比較例の場合、前記突出電極６は、前記第1電極部３の内側全体に配置されるように具現することができる。図に示していないが、前記突出電極６は、前記第1電極部３の内側全体に配置されたことに加えて、前記第1電極部３の下面３２から下方（DD矢印の方向）に突出することもできる。これにより、前記生成孔４を介して前記第1電極部３の内側にプラズマが生成される空間が不足するので、プラズマ（P）は、前記第1電極部３の外側に生成されることになる。したがって、第1比較例は、前記上下方向（Z軸方向）を基準として、前記第1電極部３の下面３２及び前記支持部２（図2に示す）の間にプラズマ（P）が生成されるので、プラズマ（P）により前記基板（S）（図2に示す）が損傷する危険性が高い。
【００２２】
次に、図3に示すように、前記上下方向（Z軸方向）を基準に、前記突出電極６の長さ６aが前記第1電極部３の長さ３aに比べて、より短く具現された実施例の場合、前記突出電極６は、前記第1電極部３の内側の一部に配置されるよう具現することができる。これにより、実施例は、前記生成孔４の下端４１および、前記突出電極６との間に、前記プラズマ生成空間（PS）が確保され得るので、前記プラズマ生成空間（PS）を介して前記第1電極部３の内側でプラズマが生成されるよう具現することができる。
【００２３】
したがって、本発明に係る基板処理装置１は、前記支持部２に支持された基板（S）からプラズマが離隔した距離を伸ばすことができるので、プラズマにより基板（S）が損傷する危険性を下げることができる。これにより、本発明に係る基板処理装置１は、前記処理工程が完了した基板の品質および歩留まりを向上させることができる。また、前記蒸着工程を行なう場合、本発明に係る基板処理装置１は、前記基板（S）に蒸着された薄膜の膜質を向上させることができる。
【００２４】
図3及び図5を参照すると、前記突出電極６は、前記第2電極部５の下面５１から突出することができる。この場合、前記突出電極６は、前記上下方向（Z軸方向）を基準として、前記第1電極部３および前記第2電極部５が離隔した間隔（D）と同じか、さらに長い長さ６aで突出することができる。前記突出電極６が、前記間隔（D）に比べてさらに長い長さ６aで突出した場合にも、前記突出電極６は、前記上下方向（Z軸方向）を基準として、前記第1電極部３に比べて、より短い長さ６aで形成することができる。したがって、本発明に係る基板処理装置１は、前記生成孔４において、前記突出電極６の下側に、前記プラズマ生成空間（PS）を確保することで、前記第1電極部３の内側でプラズマが生成されるよう具現することができる。
【００２５】
前記突出電極６は、対向面６１を含むことができる。前記対向面６１は、前記突出電極６において、前記支持部２（図2に示す）を向くように最下端に配置された面である。前記対向面６１は、前記突出電極６の下面に該当することができる。
【００２６】
図5に示すように、前記対向面６１は、前記上下方向（Z軸方向）を基準として、前記第1電極部３の上面３１と同じ高さに配置することができる。これにより、前記対向面６１は、前記上下方向（Z軸方向）を基準に、前記生成孔４の上端４２と同じ高さに配置することができる。この場合、前記突出電極６は、前記上下方向（Z軸方向）を基準として、前記第1電極部３および前記第2電極部５が離隔した間隔（D）と同じ長さ６aで突出することができる。したがって、本発明に係る基板処理装置１は、前記生成孔４全体を前記プラズマ生成空間（PS）に利用できるので、前記第1電極部３の内側にプラズマを生成するための空間の大きさを最大化するように具現することができる。
【００２７】
図3に示すように、前記突出電極６は、第1電極部３の内側に挿入されるように配置することができる。この場合、前記突出電極６は、前記生成孔４に挿入され得る。これにより、前記対向面６１は、前記第1電極部３の内側に配置することができる。この場合、前記対向面６１は、前記上下方向（Z軸方向）を基準として、前記第1電極部３の上面３１および、前記第1電極部３の下面３２の間に配置することができる。すなわち、前記対向面６１は、前記上下方向（Z軸方向）を基準に、前記生成孔４の上端４２および、前記生成孔４の下端４１との間に配置することができる。したがって、本発明に係る基板処理装置１は、前記生成孔４に挿入された突出電極６を用いて前記第1電極部３の内側に電極が配置されるよう具現すると共に、前記生成孔４を介して第1電極部３の内側に前記プラズマ生成空間（PS）が配置されるよう具現することができる。前記突出電極６を接地した場合、本発明に係る基板処理装置１は、前記第1電極部３の内側に配置された接地電極の性能を向上させて前記プラズマ生成空間（PS）に生成されたプラズマを強化することができるとともに、前記第1電極部３の内側にプラズマが生成されるようして、プラズマによって基板（S）が損傷する危険性を下げることができる。
【００２８】
前記突出電極６は、前記上下方向（Z軸方向）に対して垂直な水平方向（X軸方向）を基準に、前記生成孔４に比べて、より小さな直径６bで形成することができる。この場合、前記水平方向（X軸方向）を基準に、前記突出電極６の直径６bは、前記生成孔４の直径４aに比べてさらに小さい。これにより、本発明に係る基板処理装置１は、前記突出電極６が、前記生成孔４に挿入された場合にも、前記突出電極６および、前記第1電極部３が互いに接触しないように具現することができる。
【００２９】
図6及び図7を参照すると、前記上下方向（Z軸方向）を基準として、前記第1電極部３がL（Lは0よりも大きい実数）の長さ３aで形成した場合、前記上下方向（Z軸方向）を基準に、前記突出電極６の全体の長さ（6a）において、前記第1電極部３および前記第2電極部５が離間した間隔（D）を減算した長さ６１aは0.7L以下であり得る。すなわち、前記突出電極６において、前記第1電極部３の内側に挿入された部分の長さ６１aは、0.7L以下であり得る。これにより、本発明に係る基板処理装置１は、前記突出電極６の側面６２および、前記第1電極部３との間に存在する電子、イオンの数を減少させるとともに、前記突出電極６の対向面６１及び前記生成孔４の下端４１との間に存在する電子、イオンの数を増加させることができる。これを具体的に詳しくみると、次の通りである。
【００３０】
まず、図7に示すように、前記上下方向（Z軸方向）を基準に、前記突出電極６において、前記第1電極部３の内側に挿入された部分の長さ６１aが0.7Lより長く形成された第2比較例の場合、前記上下方向（Z軸方向）を基準に、前記突出電極６の対向面６１及び前記生成孔４の下端４１との間に位置したプラズマ生成空間（PS）が0.3Lよりも小さい長さで形成される。これにより、前記プラズマ生成空間（PS）の大きさが減少しただけ前記プラズマ生成空間（PS）に収容可能な電子、イオンの数が減少するので、前記突出電極６の側面６２および前記第1電極部３の間に移動する電子、イオンの個数が増加することになる。したがって、第2比較例は、プラズマを生成するための電子、イオンに損失が発生するので、前記プラズマ生成空間（PS）に生成されたプラズマが弱化し得る。また、第2比較例は、前記プラズマ生成空間（PS）に生成されたプラズマが弱化することを防止するために、前記プラズマ電源が供給する電源の大きさを増加させなければならない。
【００３１】
次に、図6に示すように、前記上下方向（Z軸方向）を基準に、前記突出電極６において、前記第1電極部３の内側に挿入された部分の長さ６１aが0.7Lで形成された実施例の場合、前記上下方向（Z軸方向）を基準に、前記対向面６１及び前記生成孔４の下端４１との間に位置するプラズマ生成空間（PS）が0.3Lの長さで形成される。これにより、第2比較例と対比すると、実施例は、前記のプラズマ生成空間（PS）の大きさが増加しただけ前記プラズマ生成空間（PS）に収容可能な電子、イオンの数を増加させることができるので、前記突出電極６の側面６２および、前記第1電極部３の間に移動する電子、イオンの数を減少させることができる。したがって、実施例は、プラズマを生成するための電子、イオンに発生する損失を減少させることができるので、前記プラズマ生成空間（PS）に生成されたプラズマを強化することができる。また、実施例では、前記プラズマ生成空間（PS）のプラズマを生成するために、前記プラズマ電源が供給しなければならない電源の大きさを減少させることができるので、低い電力値でも安定してプラズマを生成することができる。
【００３２】
また、前記上下方向（Z軸方向）を基準に、前記突出電極６において、前記第1電極部３の内側に挿入された部分の長さ６１aが0.7Lより短く形成された実施例の場合、前記上下方向（Z軸方向）を基準に、前記対向面６１及び前記生成孔４の下端４１との間に位置するプラズマ生成空間（PS）を0.3Lよりも長い長さで形成することができる。これにより、本発明に係る基板処理装置１は、前記プラズマ生成空間（PS）の大きさがさらに増加した分だけ前記プラズマ生成空間（PS）に収容可能な電子、イオンの数をさらに増加させることができる。
【００３３】
したがって、本発明に係る基板処理装置１は、前記上下方向（Z軸方向）を基準に、前記突出電極６において、前記第1電極部３の内側に挿入された部分の長さ６１aが0.7L以下で形成されるよう具現することで、プラズマの効率を増加させることができるだけでなく、より広い条件で安定的にプラズマを生成することができる。この場合にも、前記突出電極６の全体の長さ（6a）は、前記第1電極部３の上面３１と前記第2電極部５の下面５１が互いに離隔した間隔（D）と同一または該当する間隔（D）に比べてより長い長さで形成することができる。
【００３４】
好ましくは、前記上下方向（Z軸方向）を基準に、前記突出電極６の全体の長さ（6a）において、前記第1電極部３および前記第2電極部５が離隔した間隔（D）を減算した長さ６１aは、0.5Lであり得る。この場合、前記上下方向（Z軸方向）を基準に、前記対向面６１及び前記生成孔４の下端４１との間に位置するプラズマ生成空間（PS）が0.5Lの長さで形成される。これにより、本発明に係る基板処理装置１は、前記プラズマ生成空間（PS）の大きさがより増加した分だけ前記プラズマ生成空間（PS）に収容可能な電子、イオンの数をさらに増加させることができるので、前記突出電極６の側面６２および、前記第1電極部３の間に移動する電子、イオンの数をさらに減少させることができる。したがって、本発明に係る基板処理装置１は、プラズマを生成するための電子、イオンに発生する損失をより低減させることができるので、前記プラズマ生成空間（PS）に生成されたプラズマをより強化することができる。また、本発明に係る基板処理装置１は、前記プラズマ生成空間（PS）にプラズマを生成するために、前記プラズマ電源が供給しなければならない電源の大きさをさらに減少させることができるので、低い電力値でも、より安定的にプラズマを生成することができる。
【００３５】
ここで、前記対向面６１は、前記上下方向（Z軸方向）を基準として、前記第1電極部３の上面３１から0.7Lの距離で離隔した位置に配置することができる。この場合、前記上下方向（Z軸方向）を基準にして、前記突出電極６は、前記第1電極部３の上面３１と前記第2電極部５の下面５１が互いに離隔した間隔（D）に0.7Lを加算した長さ６aで形成することができる。これにより、本発明に係る基板処理装置１は、前記突出電極６の側面６２および、前記第1電極部３との間に存在する電子、イオンの数を減少させるとともに、前記対向面６１及び前記生成孔４の下端４１との間に存在する電子、イオンの数を増加させることができる。これを具体的に見ると、次の通りである。
【００３６】
まず、前記対向面６１が、前記上下方向（Z軸方向）を基準として、前記第1電極部３の上面３１から0.7Lよりも大きい距離で離隔した位置に配置された第3比較例の場合、前記上下方向（Z軸方向）を基準に、前記対向面６１及び前記生成孔４の下端４１との間に位置するプラズマ生成空間（PS）が0.3Lよりも小さい長さに形成される。これにより、前記プラズマ生成空間（PS）の大きさが減少した分だけ前記プラズマ生成空間（PS）に収容可能な電子、イオンの数が減少するので、前記突出電極６の側面６２と前記第1電極部３の間に移動する電子、イオンの個数が増加することになる。したがって、第3比較例は、プラズマを生成するための電子、イオン損失が発生するので、前記プラズマ生成空間（PS）に生成されたプラズマが低下し得る。また、第3比較例では、前記のプラズマ生成空間（PS）に生成されたプラズマが弱化することを防止するために、前記プラズマ電源に供給する電源の大きさを増加しなければならない。
【００３７】
次に、前記対向面６１が、前記上下方向（Z軸方向）を基準として、前記第1電極部３の上面３１から0.7Lの距離で離隔した位置に配置された実施例の場合、前記上下方向（Z軸方向）を基準に、前記対向面６１及び前記生成孔４の下端４１との間に位置するプラズマ生成空間（PS）が0.3Lの長さに形成される。これにより、第3比較例と対比すると、実施例は、前記のプラズマ生成空間（PS）の大きさが増加した分だけ前記プラズマ生成空間（PS）に収容可能な電子、イオンの数を増加させることができるので、前記突出電極６の側面６２と、前記第1電極部３の間に移動する電子、イオンの数を減少させることができる。したがって、実施例は、プラズマを生成するための電子、イオンに発生する損失を減少させることができるので、前記プラズマ生成空間（PS）に生成されるプラズマを強化することができる。また、実施例では、前記プラズマ生成空間（PS）のプラズマを生成するために、前記プラズマ電源が供給しなければならない電源の大きさを減少させることができるので、低い電力値でも安定してプラズマを生成することができる。
【００３８】
したがって、本発明に係る基板処理装置１は、前記対向面６１が、前記上下方向（Z軸方向）を基準として、前記第1電極部３の上面３１から0.7Lの距離で離隔した位置に配置されるように具現することにより、プラズマの効率を増加させることができるだけでなく、より広い条件で安定的にプラズマを生成することができる。
【００３９】
ここで、前記対向面６１は、前記上下方向（Z軸方向）を基準として、前記第1電極部３の上面３１から0.7Lの距離で離隔した位置に配置することができる。この場合、前記上下方向（Z軸方向）を基準にして、前記突出電極６は、前記第1電極部３の上面３１と前記第2電極部５の下面５１が互いに離隔した間隔（D）に0.7Lを加算した長さ６aで形成することができる。これにより、本発明に係る基板処理装置１は、前記突出電極６の側面６２と、前記第1電極部３との間に存在する電子、イオンの数を減少させるとともに、前記対向面６１及び前記生成孔４の下端４１との間に存在する電子、イオンの数を増加させることができる。これを具体的に見ると、次の通りである。
【００４０】
まず、前記対向面６１が、前記上下方向（Z軸方向）を基準として、前記第1電極部３の上面３１から0.7Lよりも大きい距離で離隔した位置に配置された第3比較例の場合、前記上下方向（Z軸方向）を基準に、前記対向面６１及び前記生成孔４の下端４１との間に位置するプラズマ生成空間（PS）が0.3Lよりも小さい長さで形成される。これにより、前記プラズマ生成空間（PS）の大きさが減少した分だけ前記プラズマ生成空間（PS）に収容可能な電子、イオンの数が減少するので、前記突出電極６の側面６２と前記第1電極部３の間に移動する電子、イオンの個数が増加することになる。したがって、第3比較例は、プラズマを生成するための電子、イオン損失が発生するので、前記プラズマ生成空間（PS）に生成されたプラズマが低下し得る。また、第3比較例では、前記のプラズマ生成空間（PS）に生成されるプラズマが弱化することを防止するために、前記プラズマ電源に供給する電源の大きさを増加させなければならない。
【００４１】
次に、前記対向面６１が、前記上下方向（Z軸方向）を基準として、前記第1電極部３の上面３１から0.7Lの距離で離隔した位置に配置された実施例の場合、前記上下方向（Z軸方向）を基準に、前記対向面６１及び前記生成孔４の下端４１との間に位置するプラズマ生成空間（PS）が0.3Lの長さで形成される。これにより、第3比較例と対比すると、実施例は、前記のプラズマ生成空間（PS）の大きさが増加した分だけ前記プラズマ生成空間（PS）に収容可能な電子、イオンの数を増加させることができるので、前記突出電極６の側面６２と、前記第1電極部３の間に移動する電子、イオンの数を減少させることができる。したがって、実施例は、プラズマを生成するための電子、イオンに発生する損失を減少させることができるので、前記プラズマ生成空間（PS）に生成されるプラズマを強化することができる。また、実施例では、前記プラズマ生成空間（PS）のプラズマを生成するために、前記プラズマ電源に供給しなければなら電源の大きさを減少させることができるので、低い電力値でも安定してプラズマを生成することができる。
【００４２】
したがって、本発明に係る基板処理装置１は、前記対向面６１が、前記上下方向（Z軸方向）を基準として、前記第1電極部３の上面３１から0.7Lの距離で離隔した位置に配置されるように具現することにより、プラズマの効率を増加させることができるだけでなく、より広い条件で安定的にプラズマを生成することができる。
【００４３】
好ましくは、前記対向面６１は、前記上下方向（Z軸方向）を基準として、前記第1電極部３の上面３１から0.5Lの距離で離隔した位置に配置することができる。この場合、前記上下方向（Z軸方向）を基準にして、前記突出電極６は、前記第1電極部３の上面３１と前記第2電極部５の下面５１が互いに離隔した間隔（D）に0.5Lを加算した長さ６aで形成することができる。これにより、本発明に係る基板処理装置１は、前記突出電極６の側面６２と、前記第1電極部３との間に存在する電子、イオンの数をさらに減少させると共に、前記対向面６１及び前記生成孔４の下端４１との間に存在する電子、イオンの数をさらに増加させることができる。したがって、本発明に係る基板処理装置１は、プラズマの効率をさらに増加させることができるだけでなく、より広い条件でより安定してプラズマを生成することができる。
【００４４】
前記対向面６１は、前記上下方向（Z軸方向）を基準として、前記第1電極部３の上面３１から0.7Lよりも小さい距離で離隔した位置に配置することもできる。この場合、前記上下方向（Z軸方向）を基準に、前記対向面６１及び前記生成孔４の下端４１との間に位置するプラズマ生成空間（PS）を0.3Lよりも長い長さで形成することができる。これにより、本発明に係る基板処理装置１は、前記プラズマ生成空間（PS）の大きさがより増加した分だけ前記プラズマ生成空間（PS）に収容可能な電子、イオンの数をさらに増加させることができる。
【００４５】
一方、前記上下方向（Z軸方向）を基準に、前記対向面６１が、前記第1電極部３の上面３１よりも高い高さに位置するように配置した場合、前記突出電極６は前記生成孔４に挿入されなくなるので、前記第1電極部３の外側に配置されることになる。これにより、前記第1電極部３の内側に前記突出電極６を用いた電極が配置されないようになるので、プラズマ効率が低下し得る。これを防止するためには、前記上下方向（Z軸方向）を基準に、前記対向面６１は、前記第1電極部３の上面３１と同じ高さに位置するか、前記第1電極部３の上面３１よりも低い高さに位置するように配置することができる。
【００４６】
図8を参照すると、前記突出電極６は、前記第2電極部５に複数個が結合することができる。この場合、前記突出電極６は、互いに離隔した位置に配置することができる。前記第1電極部３に、前記生成孔４を複数個形成した場合、前記突出電極６は、前記生成孔４のそれぞれに対応する位置に配置することができる。これにより、本発明に係る基板処理装置１は、前記生成孔４ごとに、前記突出電極６を用いた個別電極が配置されるよう具現することができる。
【００４７】
図9を参照すると、前記突出電極６は、噴射孔６３を含むことができる。
【００４８】
前記噴射孔６３は、前記生成孔４にプロセスガスを噴射するものである。前記噴射孔６３は、前記突出電極６を貫通するように形成することができる。前記噴射孔６３の下端は、前記生成孔４に連通するように配置することができる。前記噴射孔６３の上端は、ガス貯蔵部（不図示）に連結するように配置することができる。前記ガス保存部は、プロセスガスを保存するものである。前記プロセスガスは、前記処理工程を行なうために用いるもので、例えば、シリコン（Si）、チタン族元素（Ti、Zr、Hf等）、またはアルミニウム（Al）などのガスで行なうことができる。この場合、シリコン（Si）材料を含むプロセスガスは、シラン（Silane; SiH4）、ジシラン（Disilane; Si2H6）、トリシラン（Trisilane; Si3H8）、TEOS（Tetraethylorthosilicate）、DCS（Dichlorosilane）、HCD（Hexachlorosilane ）、TriDMAS（Tri-dimethylaminosilane）およびTSA（Trisilylamine）などを挙げることができる。
【００４９】
前記噴射孔６３は、前記突出電極６と前記第2電極部５を貫通するように形成することもできる。この場合、前記ガス供給部は、前記噴射孔６３に連結するように前記第2電極部５に結合することができる。
【００５０】
以上で説明した本発明は、前述した実施例及び添付した図に限定されるものではなく、本発明の技術的思想を逸脱しない範囲内で、複数の置換、変形及び変更が可能であることが、本発明が属する技術分野で通常の知識を有する者にとって明らかであろう。
【図１】
2021512477.tif 000003
【図２】
2021512477.tif 000004
【図３】
2021512477.tif 000005
【図４】
2021512477.tif 000006
【図５】
2021512477.tif 000007
【図６】
2021512477.tif 000008
【図７】
2021512477.tif 000009
【図８】
2021512477.tif 000010
【図９】
2021512477.tif 000011
【国際調査報告】
2021512477.tif 000012
2021512477.tif 000013
2021512477.tif 000014
2021512477.tif 000015